(57)【特許請求の範囲】
【請求項１】
後端がインナーケーブルの末端に接続され、外周面に複数の環状の係止歯からなる係止歯列が形成されたロッドと、
そのロッドを収納するための側面に開口部を有するＵ溝が形成され、そのＵ溝の内周面にロッドの係止歯列と係止する複数の係止溝からなる係止溝列が形成されたロッド係止部およびそのロッド係止部の前端に設けられたピン連結部を有するケーシングと、
そのケーシングに対し、前記ロッドをＵ溝の内周面に押圧する閉位置と開放する開位置との間で移動自在に設けられたロックプレートとを備え、
そのロックプレートと前記ケーシングとが前記ピン連結部を軸心として回動自在に連結され、
前記ロックプレートが、回動自在に支持される支持部と、
その支持部から後方に延びるレバー部と、
そのレバー部の途中に形成されたロック板と、
前記レバー部の自由端に形成された持手部とからなり、
前記支持部を支点として、前記ロック板を開位置と閉位置との間で回動させることができ、
前記ロッド係止部が、縦壁と、その縦壁の上下端から対向するように延びる上壁および下壁とから形成され、
前記上壁および下壁の自由端付近でロックプレートのロック板の回動経路上に、Ｕ溝の内部と連通するスリットが形成されており、
そのスリットに、ロックプレートのロック板を差し込むことにより、ロック板がロッドを押圧することを特徴とするコントロールケーブルの端末支持装置。
【請求項２】
前記ロックプレートのロック板が、ロッドの外周に沿うように湾曲した湾曲部と、
その湾曲部の上下からそれぞれ延びる平坦部とからなり、
前記ロックプレートを閉位置に回動したとき、前記上下の平坦部が、それぞれ前記上壁および下壁のスリットに差し込まれる請求項１記載のコントロールケーブルの端末支持装置。
【請求項３】
前記ロックプレートが、前記ロック板と対向するように延びるサポート板を備えており、
前記ロッド係止部に、サポート板を係止する係止部が形成されている請求項１または２記載のコントロールケーブルの端末支持装置。
【発明の詳細な説明】
【技術分野】
【０００１】
本発明はコントロールケーブルの端末支持装置に関する。さらに詳しくは、コントロールケーブルのインナーケーブルの端末を長さ調整してピンに連結するコントロールケーブルの端末支持装置に関する。
【背景技術】
【０００２】
【特許文献１】特開２００３−１６６５２１号公報
【特許文献２】特開２００５−１７２２０３号公報
【特許文献３】特開２００５−１４７３９３号公報
【０００３】
コントロールケーブルの端末を支持する方法は従来からいくつかある。特許文献１を用いて従来の支持装置について説明する。図９ａおよび図９ｂに示す支持装置１００は、セレクトレバー（シフトレバー）側から延びている相手軸部材１０１（ピン）とインナーケーブルとの間に介在され、それらを前後方向に長さ調節しながら連結するものである。このものは、インナーケーブルの末端に連結されるロッド１０３と、そのロッド１０３を軸方向移動自在に収納すると共に先端にピン１０１を挿入するアイエンド１０４を有するハウジング(ケーシング)１０５と、両者の動きを規制するロックピース１０６とからなる。前記ケーシング１０５の筒状の内部には後方からロッド１０３が収納される。そのロッド１０３は、コントロールケーブルの全長を調節するため矢印ＦあるいはＢ方向に押し引きして位置調整した後、適切な位置でロックピース１０６により係止される。そのロックピース１０６は、ケーシング１０５の下面に形成された開口１０２から矢印Ｉ方向（図９ｂ参照）に挿入され、それによりロッド１０３の軸方向の動きを規制する。前記ロックピース１０６は、作業者の手でケーシング１０５を支えつつ、押し込まれる。そのロックピース１０６の押し込みに必要な作業スペースを符号Ｌ１で示す。
【０００４】
前記ロッド１０３およびロックピース１０６の一般的形状については、特許文献２のロッドおよびロックピースとほぼ同様である。特許文献２の支持装置に用いられるロックピースは図１０ａに示すように、ロッド１１３の外周に沿う断面略Ｕ字状に形成されており、そのＵ字状の内周面に複数の溝が形成された係合歯列１１５を有している。一方、ロッド１１３の外周には複数の環状の歯が形成された係合歯列１１４が形成されている。そのロッドの係合歯列１１４とロックピースの係合歯列１１５が係合することにより、ロッド１１３の軸方向の動きが規制される。
【０００５】
特許文献３の支持装置では、図１０ｂに示すように、固定本体１２０（ケーシング）は、端部材（ロッド）を側方の開口部１２１から挿入できるように、断面略Ｕ字状に形成されている。そのため、ロッドの軸方向の作業スペースが狭い場合でもロッドを容易に収納することができる。前記固定本体１２０に収納したロッドは、固定本体１２０の側面（図では上面）から差し込まれたロックピース１２２によって軸方向の移動が拘束されている。さらに固定本体１２０の上面には、後方よりスライドしてロックピース１２２の上面と係合し、ロックピース１２２の抜けを規制するロック１２３が設けられている。
【０００６】
上述したような端部支持装置は、ロッド支持の確実性と、組み付けの作業性の２つを満足することが望まれる。しかしながら、これら従来の技術に共通するのは、ロッドに形成した係止歯列とロックピースの係止溝を噛み合わせてロッドの移動を拘束する技術である。そのため、そのロックピースをケーシングに対し、ロッドの軸の直角の向きで挿入し、固定する必要がある。
【発明の開示】
【発明が解決しようとする課題】
【０００７】
前述のロックピースを用いる技術によると、確かにロッドとケーシングの取り付けは強固であるが、作業性がよくない。すなわち、支持装置が配置される場所は、車体のシフトレバー、シートフレーム、サイドブレーキレバーなどの部品が密集した狭い場所であるので、ロックピースも、そのような狭い場所で挿入される。作業者は指でケーシングおよびロックピースを摘みつつ、腕をそのような狭い場所で伸ばさなければならない。そして、限られたスペースで指先、手首、肘および肩を屈曲させて挿入作業を行う。そのため、挿入の力がロックピースに伝達されにくく、大変煩雑な作業である。また、ロックピースは、ケーシングとは別部品であるので、作業中に落としたり、紛失したりすることが多い。
【０００８】
そこで、本発明は、取り付け作業の作業効率を高くし、それを簡易な構造で実現できるコントロールケーブルの端末支持装置を提供することを技術課題としている。
【課題を解決するための手段】
【０００９】
本発明のコントロールケーブルの端末支持装置（請求項１）は、後端がインナーケーブルの末端に接続され、外周面に複数の環状の係止歯からなる係止歯列が形成されたロッドと、そのロッドを収納するための側面に開口部を有するＵ溝が形成され、そのＵ溝の内周面にロッドの係止歯列と係止する複数の係止溝からなる係止溝列が形成されたロッド係止部およびそのロッド係止部の前端に設けられたピン連結部を有するケーシングと、そのケーシングに対し、前記ロッドをＵ溝の内周面に押圧する閉位置と開放する開位置との間で移動自在に設けられたロックプレートとを備え、そのロックプレートと前記ケーシングとが前記ピン連結部を軸心として回動自在に連結され、前記ロックプレートが、回動自在に支持される支持部と、その支持部から後方に延びるレバー部と、そのレバー部の途中に形成されたロック板と、前記レバー部の自由端に形成された持手部とからなり、前記支持部を支点として、前記ロック板を開位置と閉位置との間で回動させることができ、前記ロッド係止部が、縦壁と、その縦壁の上下端から対向するように延びる上壁および下壁とから形成され、前記上壁および下壁の自由端付近でロックプレートのロック板の回動経路上に、Ｕ溝の内部と連通するスリットが形成されており、そのスリットに、ロックプレートのロック板を差し込むことにより、ロック板がロッドを押圧することを特徴とする。
【００１１】
このような支持装置は、前記ロックプレートのロック板が、ロッドの外周に沿うように湾曲した湾曲部と、その湾曲部の上下からそれぞれ延びる平坦部とからなり、前記ロックプレートを閉位置に回動したとき、前記上下の平坦部が、それぞれ前記上壁および下壁のスリットに差し込まれるもの（請求項２）が好ましい。
【００１２】
また、前記ロックプレートが、前記ロック板と対向するように延びるサポート板を備えており、前記ロッド係止部に、サポート板を係止する係止部が形成されているものが好ましい（請求項３）。
【発明の効果】
【００１３】
本発明のコントロールケーブルの端末支持装置（請求項１）は、ロッド係止部の側面にロッドを収納するための開口部を有するＵ溝が形成されているので、そのロッド係止部の側方よりロッドを挿入しつつ、そのままＵ溝の係止溝列とロッド係止部の係止歯列を噛み合わせてインナーケーブルの長さ調節を行うことができる。位置調節した後は、ロックプレートによりケーシングの開口部を閉じるので、ロッドが開口部から飛び出ることがない。
【００１４】
さらに、ロックプレートがロッドをケーシングに形成されたＵ溝の内周面に押圧しているので、ロッドがケーシングに確実に支持される。すなわち、ロッドがケーシングから外れようとする力のうち軸方向の成分は係止溝列と係止歯列との係合によって支持されるので、ロックプレートはロッドがケーシングの開口部の方向に抜ける力を支えると共に、係止溝列と係止歯列がガタ付いたり、浮いたりするのを防止すればよい。したがって、本発明では、ロッドを実際に支持する構造部材としてケーシングを用い、そのケーシングによるロッドの支持を確実にするようにロックプレートは係止溝列と係止歯列を強く当接させてロックしている。そのため、従来のロックピースのようにロッドの支持とロックを１つの部材で行うのではなく、ケーシングとロックプレートとで支持とロックを分担して行うことができるので、それぞれの部材を簡易な構造にすることができる。
【００１５】
そして、前記ロックプレートが、回動自在に支持される支持部とその支持部から後方に延びるレバー部と、そのレバー部の途中に形成されたロック板と、前記レバー部の自由端に形成された持手部とからなり、前記支持部を支点として、前記ロック板を開位置と閉位置との間で回動させることができるので、ケーシングの上方にロックピースを差し込むスペースを必要とせず、持手部はロッドの後方に配置されているので、ケーシングを握った腕を車体の狭い場所まで伸ばした状態で持手部を操作することができる。そして、レバー部の前端を支点として、後端から延びる持手部を操作するので、少ない力で操作ができ、作業が容易である。
【００１６】
また、前記ロッド係止部が、縦壁と、その縦壁の上下端から対向するように延びる上壁および下壁とから形成され、前記上壁および下壁の自由端付近でロックプレートのロック板の回動経路上に、Ｕ溝の内部と連通するスリットが形成されており、そのスリットに、ロックプレートのロック板を差し込むことにより、ロック板がロッドを押圧するので、ロック板の上下端がスリットに差し込まれ、ロッドが開口部から抜け出さないように確実に開口部を塞ぐことができる。
【００１７】
このようなコントロールケーブルの端末支持装置が、前記ロックプレートのロック板が、ロッドの外周に沿うように湾曲した湾曲部と、その湾曲部の上下からそれぞれ延びる平坦部とからなり、前記ロックプレートを閉位置に回動したとき、前記上下の平坦部が、それぞれ前記上壁および下壁のスリットに差し込まれる場合（請求項２）は、下方の平坦部がロッドの外周に沿って外側に撓んだ後に、湾曲部にロッドが収納され、その後上下の平坦部がそれぞれスリットに差し込まれ支持される。そのため、さらに確実にロッドをロッド係止部の内部に収納することができる。
【００１８】
また、前記ロックプレートが、前記ロック板と対向するように延びるサポート板を備えており、前記ロッド係止部に、サポート板を係止する係止部が形成されている場合（請求項３）は、ロックプレートの回動時に力が加わっても、回動経路からズレないようにロックプレートを支持することができる。
【発明を実施するための最良の形態】
【００２０】
つぎに図面を参照しながら本発明のコントロールケーブルの端末支持装置（以下、単に支持装置という）の実施形態を説明する。図１は本発明の支持装置の一実施形態におけるロックプレートが開いた状態を示す概略斜面図、図２は図１の支持装置におけるロックプレートが閉じた状態を示す概略斜視図、図３ａは図２のＩ−Ｉ線断面図、図３ｂは係止歯列と係止溝列の噛み合い状態を示す模式図、図４は図１の支持装置が使用される様子を示す模式図、図５はロックプレートを示す概略斜視図、図６は支持装置によりロッドを固定する様子を示す工程図、図７はロックプレートを閉じる様子を示す概略図、図８は本発明の支持装置の他の実施形態を示す斜視図である。
【００２１】
はじめに図４を用いて支持装置１の使用される様子を説明する。この支持装置１はＡＴケーブル１０の一端に配置されており、トランスミッション１１とシフトレバー１２の間を渡すコントロールケーブルのインナーケーブル１３の一端をシフトレバー１２に設けられたピンＰと連結している。なお、トランスミッション１１側の端部にも同様の支持装置１を用いることができる。
【００２２】
図１に示す支持装置１は、ロックプレート５が開いた状態であり、ロッド２はまだ支持されていない。また、図２には支持装置１にロッド２が支持され、ロックプレート５が閉じた状態を示している。
【００２３】
図１に示す支持装置１は、後端（図１の右側）がインナーケーブルの端部に接続されたロッド２と、そのロッド２を収納する略筒状のロッド係止部３およびピンＰと連結するためのピン連結部（アイエンド）４を備えたケーシング９と、そのケーシング９に、一端が回動自在に支持されケーシング９の開口部を開いたり閉じたりするロックプレート５と、前記ケーシング９に対してスライド自在に設けられ、ロックプレート５の開閉状態を維持するロック部材６とからなる。
【００２４】
前記ロッド２は後端にインナーケーブル１３のシフトレバー１２側（図４参照）の端部が連結されており、前端付近では外周に複数の環状の係止歯２ａ・・からなる係止歯列２ｂを形成している。前記係止歯２ａの断面は略三角形状（図３ｂ参照）である。また、係止歯列２ｂに代えて雄ネジを代用してもよい。
【００２５】
前記ケーシング９はロッド２の係止歯列２ｂを含む前方の部分を収納するための開口部を有するＵ溝が形成されており、縦壁３ａと、その縦壁３ａの上端に配置される上壁３ｂと、前記縦壁３ａの下端から上壁３ｂと対向して配置される下壁３ｃとから断面略コ字状に形成されている。また、開口した部分は開口部３ｄである。前記ケーシング９の内周面には、ロッド２の係止歯列２ｂと係合する複数の係止溝３ｅ・・からなる係止溝列３ｆ（図３ｂ参照）が形成されている。前記アイエンド４は、ケーシング９の前端に設けられ、円筒状であり、内部にピンＰ（図４参照）が差し込まれる。その円筒状の開口の向きは、ケーシング９の開口部３ｄの開いている向きと同じであり、後述するロックプレート５の回動の支点として用いることができる。なお、開口の向きは、使用される環境に応じて、垂直、４５度あるいは好みの角度にして、形成することもできるが、そのときは、ロックプレート１５の回動の支点を別途設けることによって同様の機能を有することができる。
【００２６】
図３ｂに示す前記ロッド２の直径は５〜８ｍｍで、好ましくは６〜７ｍｍである。その材質はＳ３５Ｃ好ましくはＳＷＣＨ３５Ｋである。また、ロッドの係止歯列２ｂのピッチは０．５〜１ｍｍである。また係止歯２ａの山径は７〜１１ｍｍである。このような係止歯列２ｂは転造により形成することができる。
【００２７】
一方、ケーシング９の材質はポリブチレンテレフタレート（ＰＢＴ）、ポリオキシメチレン（ＰＯＭ）、好ましくはポリアミド（ＰＡ）である。また、ケーシングの係止溝列３ｆのピッチは０．５〜１ｍｍである。また、係止溝３ｅの谷径は７〜１１ｍｍで、好ましくは９〜１０である。前記係止溝列３ｆはケーシング９に一体成形されている。このような係止溝は注型により形成することができる。なお、係止溝列３ｆのピッチを係止歯列２ｂのピッチの１／２にしてもよい。それにより位置調節を細かくすることができる。
【００２８】
図１に戻って、前記ケーシングの上壁３ｂおよび下壁３ｃには、対向するように前後方向に延びるスリット７、７が形成されている。そのスリット７、７のうち、縦壁３ａに近い側の内面は図３ａに示すように傾斜させてもよい。それによりロックプレート５のスリット７への挿入を確実にすることができる。また、前記縦壁３ａには、上壁３ｂ側から下壁３ｃに向かう方向に係止部８（長孔）が形成されている。なお、前記スリットの他に前記上壁３ｂおよび下壁３ｃに後述するロック板の両側をガイドできる断面Ｌ字状のガイド部材を形成してもよい。また、縦壁３ａに形成される長孔８も同様に、縦壁３ａの外周に沿って後述するサポート板がスライドできるような断面Ｌ字状のガイドを設けてもよい。
【００２９】
次に、図５を用いて前記ロックプレート５について説明する。前記ロックプレート５は、ケーシングの上壁３ｂの上面に沿って延びる帯状のレバー部５ａと、そのレバー部５ａの前端に形成されアイエンド４を両側から挟みこむように係止し、ロックプレート５の回動の支点となる支点部５ｂと、前記レバー部５ａの後端付近からケーシング９を挟むように延びるロック板材であるロック板５ｃおよびサポート板５ｄと、前記レバー部５ａの後端からさらに後方に延びる持手部５ｅとからなる。前記ロック板５ｃの下端には、切り欠き部５ｆが形成されている。
【００３０】
前記支点部５ｂは、アイエンド４の円筒の部分に同心状に回動自在に支持され、前記レバー部５ａは、その支点部５ｂを支点として、後端側のロック板５ｃおよびサポート板５ｄをケーシング９の斜め後ろ上方（開位置）からケーシングの開口部３ｄを閉じる位置（閉位置）まで回動させることができる。なお、支点部５ｂを係止するのに、アイエンド４のピン用の開口に引っ掛けるようにして係止させることができる。また、前記ロック板５ｃには、中央付近にロッド２の外周面に沿うように湾曲した湾曲部５ｇが形成されている。そして、その湾曲部５ｇの上下の部分はそれぞれ上方の平坦部５ｈおよび下方の平坦部５ｉである。なお、前記ロックプレート５は同じ材質から一体に成形され、その材質は適度な弾性変形と強度を備えたものが好ましく、機械工具鋼（ＳＫ材）あるいはＳＵＳ材を含むバネ鋼材を用いるのがよい。
【００３１】
前記ロックプレート５が支点部５ｂを回動の軸として回動すると、ロック板５ｃの下方の平坦部５ｉが前記上壁３ｂ（図１参照）に形成されたスリット７に差し込まれる。次いで、前記下方の平坦部５ｉがロッド２の外周に沿うように外向きに弾性変形し、その後、湾曲部５ｇ内にロッド２（図２参照）が導かれる。このように、ロック板５ｃによりロッド２は、その動きが規制されると共に、ロッドの係止歯列２ｂがケーシングの係止溝列３ｆ（図２参照）と強く当接するように押圧される。
【００３２】
前記サポート板５ｄはロック板５ｃと対向するように配置されており、ロック板５ｃと共に回動する。前記ロック板５ｃはスリット７に差し込まれる一方、サポート板５ｄは、前記ケーシングの縦壁３ａの上面に形成された長孔８（図３ａ参照）に差し込まれ、ロック板５ｃが確実にスリット７に差し込まれるようにガイドしている。すなわち、前記サポート板５ｄとロック板５ｃとで、ロッド２とケーシング９とを挟持している。なお、ケーシング９に長孔８を設けることなく、前記サポート板５ｄとロック板５ｃとでロッド２およびケーシング９を挟持するように構成することもできる。
【００３３】
前記ロック部材６は、ケーシングの上壁３ｂ（図１参照）の上面に形成された板状のレール部材に嵌めこまれ、スライド自在に設けられている。前記ロックプレート５が開いている時は、ロック板の下端に形成された切り欠き部５ｆに滑り込ませて、ロックプレート５が閉じないように、その回動を規制している。このように、ロックプレート５が閉じないようにロックされると、ロッド２を配置するのに邪魔にならないので、作業効率が向上する。一方、ロックプレート５を閉じた後は、ロックプレートのレバー部５ａの上面までスライドして、ロックプレート５の回動を規制する。そのため、ロッド２（図２参照）の拘束が確実である。
【００３４】
次に、図６を用いて支持装置１の作用を説明する。支持装置１はロッド２をケーシング９の側面から挿入する第１工程Ｓ１と、その第１工程Ｓ１に続くロックプレート５によりケーシングの開口部３ｄを閉じる第２工程Ｓ２と、その第２工程Ｓ２に続くロック板材６によりロックプレート５の動きを規制する第３工程とからなる。
【００３５】
前記第１工程Ｓ１では、支持装置のアイエンド４をピンＰ（図４参照）に係止し、ケーシングの開口部３ｄの側面からロッド２を挿入する。支持装置１を握る手は、ケーシングの縦壁３ａ側を手のひらに載せるも良いし、上壁３ｂの上から包み込むように握るなど、自由に取り扱うことができる（図７参照）。そして、もう片方の手を用いてロッド２の位置を調整しながら、所望の位置でロッドの係止歯列２ｂとケーシングの係止溝列３ｆを当接させて、ロッド２をケーシング９の内部に仮止めした状態にする。このように、ケーシング９に係止溝列３ｆが形成されているので、仮止めさせておいて、一旦、ロッド２をケーシング９に案内していた手を離すことができるので、ロッド２の位置調整が容易である。
【００３６】
前記第２工程Ｓ２では、親指等でロックプレート５の持手部５ｅを押える。そうすると、ロックプレート５がレバー部の支点部５ｂを回動の支点として、ロック板５ｃがＲ方向に回動し、下方の平坦部５ｉが上壁３ｂに形成されたスリット７（図１参照）に差し込まれる。差し込まれた下方の平坦部５ｉはロッド２の外周面に沿うように外向きに撓む。
【００３７】
次いで、工程Ｓ２´においてさらに持手部５ｅを押圧すると、ロック板の湾曲部５ｇの内部にロッド２が収納される。そうすると、前記下方の平坦部５ｉは、撓みより開放され、下壁３ｃのスリット７（図２および図３ａ参照）に差し込まれる。
【００３８】
前記第３工程Ｓ３では、ロックプレートのロック板５ｃがケーシングの開口部３ｄを塞いでいる。そのときロックプレートのレバー部５ａは上壁３ｂの上面に接する位置にあり、そのレバー部５ａを上壁３ｂとの間で挟み込むように、親指でロック板材６をＦ方向にスライドさせ、ロックプレート５の移動を規制する（図２参照）。
【００３９】
図７はロックプレートを閉じる様子を示している。このように、ロッド２の軸方向に沿って腕を延ばし、ピンＰに係止された支持部材の開口部３ｄからロッド２を収納して、そのままケーシングの係止溝列３ｆを用いて支持部材１とロッド２とを位置調整できる。その後、支持装置１を親指を掛けた持手部５ｅと共に握る動作で、ロックプレート５がケーシングの開口部３ｄを閉じる。さらに、その後、そのままの体勢で、親指等で、ロック部材６をスライドさせると、ロックプレート５の回動を規制することができる。このように、車体に取り付ける際に、狭い作業スペースに腕を伸ばした状態でも、小さな力で取り付けることができるので、作業性が高い。その際、ロックプレート５を閉じるために必要な手を入れるペースＬ２は、従来の技術で説明したスペースＬ１（図９ｂ参照）と比べて、ロックピースを１０６を上方に配置する分だけ小さい。そのため、車体の内部で部材が干渉しにくく、作業性が高い。また、ロックプレート５がケーシングに連結されているため、落とすことがない。なお、前記実施形態ではロックプレート５をケーシング９に回動自在に連結しているが、スライド自在としてもよい。
【００４０】
図８には、他の支持装置１の他の実施の形態を示す。図８に示す支持装置１５は、そのロックプレート５の持手部５ｅの側方から舌片５ｊが突出している。支持装置１５のロック部材６はその舌片５ｊの上面にスライドして、ロックプレート５の回動を規制する。なお、支持装置１５のロック部材６は、ケーシングの上壁３ｂ（図１参照）の上面に形成された断面Ｔ字状の開口が形成されたレールに嵌めこまれ、スライド自在である。
【図面の簡単な説明】
【００４１】
【図１】図１は本発明の支持装置のロックプレートが開いた状態を示す斜面図である。
【図２】図２は図１の支持装置のロックプレートが閉じた状態を示す概略斜視図である。
【図３】図３ａは図２のＩ−Ｉ線断面図、図３ｂは係止歯列と係止溝列の噛み合い状態を示す模式図である。
【図４】図４は図１の支持装置が使用される様子を示す模式図である。
【図５】図５はロックプレートを示す概略斜視図である。
【図６】図６は支持装置によりロッドを固定する様子を示す工程図である。
【図７】図７はロックプレートを閉じる様子を示す概略図である。
【図８】図８は本発明の支持装置の他の実施の形態を示す概略斜視図である。
【図９】図９ａは従来のコントロールケーブルの支持装置を示す概略平面図、図９ｂは図９ａの支持装置を指で摘んだ状態を示す概略側面図である。
【図１０】図１０ａは従来の他のコントロールケーブルの支持装置のロックピースを示す概略図、図１０ｂは従来のさらに他のコントロールケーブルの支持装置のケーシングを示す概略図である。
【符号の説明】
【００４２】
１  コントロールケーブルの支持装置
２  ロッド
２ａ  係止歯
２ｂ  係止歯列
３  ロッド係止部
３ａ  縦壁
３ｂ  上壁
３ｃ  下壁
３ｄ  開口部
３ｅ  係止溝
３ｆ  係止溝列
４  ピン連結部（アイエンド）
５  ロックプレート
５ａ  レバー部
５ｂ  支持板
５ｃ  ロック板
５ｄ  サポート板
５ｅ  持手部
５ｆ  切り欠き部
５ｇ  湾曲部
５ｈ  平坦部（上方）
５ｉ  平坦部(下方)
５ｊ  舌片
６  ロック部材
７  スリット
８  長孔
９  ケーシング
１０  ＡＴケーブル
１１  トランスミッション
１２  シフトレバー
１３  インナーケーブル
１５  支持装置
Ｌ１  距離
Ｌ２  距離
Ｐ  ピン
【図１】
0004719588.tif 000002
【図２】
0004719588.tif 000003
【図３】
0004719588.tif 000004
【図４】
0004719588.tif 000005
【図５】
0004719588.tif 000006
【図６】
0004719588.tif 000007
【図７】
0004719588.tif 000008
【図８】
0004719588.tif 000009
【図９】
0004719588.tif 000010
【図１０】
0004719588.tif 000011